(57)【要約】【課題】  吸水性の高い繊維を用いる場合であっても十分な泡立ちを可能とするタオルを提供する。【解決手段】  手袋状タオル１１は、その一端が開放された袋状の天然繊維部１３と、天然繊維部１３の内部に収納され、その一端が開放された化学繊維部１４とから構成されている。天然繊維部１３と化学繊維部１４とは各々の開放端において全周互いに接続され接続部２０を構成している。天然繊維部１３の外表面には編み上げによって凸模様１６が形成されている。使用時には手袋状タオル１１を石鹸水等に浸してこすり付けると、天然繊維部１３の内部で発生した泡が天然繊維部１３の外表面に木目細かな泡となって現れる。【選択図】      図１
2005279189.tif 000002
【特許請求の範囲】
【請求項１】
シート状に形成された吸水性を有する第１繊維部と、
前記第１繊維部に対向するように設けられ、前記第１繊維部に接触自在なシート状に形成された非吸水性を有する第２繊維部とを備えた、タオル。
【請求項２】
前記第１繊維部は絹よりなる天然繊維を主体としてなり、
前記第２繊維部は化学繊維を主体としてなる、請求項１記載のタオル。
【請求項３】
前記第１繊維部は一端が開放された袋形状を有し、
前記第２繊維部は、一端が開放された袋形状を有し、
前記第１繊維部の開放端と前記第２繊維部の開放端とは全周において接続される、請求項２記載のタオル。
【請求項４】
前記第１繊維部及び前記第２繊維部は、いずれも伸縮自在に形成される、請求項３記載のタオル。
【請求項５】
タオルの製造方法であって、
継ぎ目のない筒状の天然繊維部と継ぎ目のない筒状の化学繊維部とを交互に接続した状態に編み上げる工程と、
隣接した天然繊維部と化学繊維部とを１つの単位として分離する工程と、
前記分離された天然繊維部及び化学繊維部の各々の開放端部を閉じるように縫い合わせる工程と、
前記縫い合わされた化学繊維部を前記縫い合わされた天然繊維部の内部に収納する工程とを備えた、タオルの製造方法。
【発明の詳細な説明】
【技術分野】
【０００１】
この発明はタオルに関し、特に石鹸水等に浸して泡立てて使用するタオルに関するものである。
【背景技術】
【０００２】
図５は従来の洗顔用等に用いられる手袋状タオルの外観形状を示した斜視図である。
【０００３】
図を参照して、手袋状タオル６１はその一端が開口２１として開放された袋形状を有している。手袋状タオル６１はその全体が例えば絹を主体とした天然繊維６３により構成され、その一方面には凸模様１６が織り目柄として形成されており、その反対面は特別な模様は形成されていない。
【０００４】
使用時にあっては、開口２１から手を入れ、手袋状タオル６１に石鹸をつけたり石鹸水に浸したりしてその表面を泡立てて使用する。尚、使用に際しては凸模様１６が形成されている面は体に使用し、その反対面の凸模様等が形成されていない滑らかな面は洗顔用に使用すれば、更に効率的な使用方法となる。
【発明の開示】
【発明が解決しようとする課題】
【０００５】
上記のような従来のタオルでは、その使用目的から肌触りの良い天然繊維を主体として用いているが、天然繊維自体吸水性が高いため石鹸をこすり付けたり、あるいは石鹸水に浸してこするようにしても十分な泡が立たない。
【０００６】
一方、上記のような構造のタオルを吸水性の低い化学繊維を主体に製造すると、泡立ちは十分であるが肌触りが悪くなってしまい、使用目的に十分沿うものではない。
【０００７】
この発明は上記のような課題を解決するためになされたもので、吸水性の高い繊維を用いた場合であっても十分な泡立ちを可能とするタオルを提供することを目的とする。
【課題を解決するための手段】
【０００８】
上記の目的を達成するために、請求項１記載の発明は、シート状に形成された吸水性を有する第１繊維部と、第１繊維部に対向するように設けられ、第１繊維部に接触自在なシート状に形成された非吸水性を有する第２繊維部とを備えたものである。
【０００９】
このように構成すると、水に浸した時、第１繊維部と第２繊維部との間に水分が保有される。
【００１０】
請求項２記載の発明は、請求項１記載の発明の構成において、第１繊維部は絹よりなる天然繊維を主体としてなり、第２繊維部は化学繊維を主体としてなるものである。
【００１１】
このように構成すると、第１繊維部の繊維の太さは他の天然繊維の中で１番細くなる。
【００１２】
請求項３記載の発明は、請求項２記載の発明の構成において、第１繊維部は一端が開放された袋形状を有し、第２繊維部は一端が開放された袋形状を有し、第１繊維部の開放端と、第２繊維部の開放端とは全周において接続されるものである。
【００１３】
このように構成すると、第１繊維部の中に第２繊維部を収納したり、あるいは第２繊維部の中に第１繊維部を収納することができる。
【００１４】
請求項４記載の発明は、請求項３記載の発明の構成において、第１繊維部及び第２繊維部は、いずれも伸縮自在に形成されるものである。
【００１５】
このように構成すると、全体が１つの袋形状として一体化する。
【００１６】
請求項５記載の発明は、タオルの製造方法であって、継ぎ目のない筒状の天然繊維部と継ぎ目のない筒状の化学繊維部とを交互に接続した状態に編み上げる工程と、隣接した天然繊維部と化学繊維部とを１つの単位として分離する工程と、分離された天然繊維部及び化学繊維部の各々の開放端部を閉じるように縫い合わせる工程と、縫い合わされた化学繊維部を縫い合わされた天然繊維部の内部に収納する工程とを備えたものである。
【００１７】
このように構成すると、互いに接続されて隣接する天然繊維部と化学繊維部とは、タオルの１単位となる。
【発明の効果】
【００１８】
以上説明したように、請求項１記載の発明は、第１繊維部と第２繊維部との間に水分を保有することができるため、石鹸水等に浸した状態で第１繊維部と第２繊維部とを接触するようにこすり付けると、第１繊維部の外表面側にも泡が十分に発生する。
【００１９】
請求項２記載の発明は、請求項１記載の発明の効果に加えて、第１繊維部の繊維の太さは他の天然繊維の太さに比べて１番細いため、第１繊維部の外表面に発生する泡が木目細かなものになる。
【００２０】
請求項３記載の発明は、請求項２記載の発明の効果に加えて、一方の繊維部の中に収納したいずれかの繊維部の中に手等を入れて使用すると、第１繊維部と第２繊維部とが一体的になり、常にこれらを接触状態で使用できるため使い勝手が良い。
【００２１】
尚、外方に第１繊維が配置されるようにして洗顔等に使用すると、肌には天然繊維が直接触れるので肌触りが良い。そして、その状態で木目細かな泡が第２繊維部側から供給されるため洗顔効果が極めて向上する。
【００２２】
一方、外方に第２繊維部が配置されるようにして使用すると、内方の第１繊維の中に木目細かな泡が発生して保有されるため効率的な泡立器となる。
【００２３】
請求項４記載の発明は、請求項３記載の発明の効果に加えて、全体が袋形状として一体化するため、手を入れて手袋状で使用する場合に使い勝手が良い。
【００２４】
請求項５記載の発明は、互いに接続されて隣接する天然繊維と化学繊維とがタオルの１単位となるため、効率的なタオルの製造方法となる。
【発明を実施するための最良の形態】
【００２５】
図１はこの発明の第１の実施の形態による手袋状タオルの外観形状を示した斜視図であり、図２は図１で示したＩＩ−ＩＩラインの端面図である。
【００２６】
これらの図を参照して、手袋状タオル１１は全体形状としてはその一端が開口２１となる袋形状を有している。このような全体形状自体は図５で示した従来例によるものと似ているが、この手袋状タオル１１にあっては構成する素材が２層構造となっている点が大きく異なっている。即ち、手袋状タオル１１は外側に現れ、その一端が開放端となる絹を主体とした天然繊維部１３と、天然繊維部１３の内部に収納され、その一端が開放端となるポリエステル等の化学繊維部１４とから構成されている。天然繊維部１３と化学繊維部１４とはその開放端において接続部２０を介して全周互いに接続されている。又、天然繊維部１３及び化学繊維部１４のいずれもその周方向にはポリウレタン繊維が編み込まれており、伸縮自在の構造となっている。このため、開口２１から後述するように使用すると、これらの繊維部が一体となって変形するため使用勝手が良い。
【００２７】
尚、天然繊維部１３の一方の外表面には織り目柄としての凸模様１６が形成されているが、その他方の外表面には特にいずれの模様も形成されていない。天然繊維部１３はその周方向には継ぎ目が形成されておらず、その開放端の反対方向の端部のみ継ぎ目１８によって縫い合わされている。一方、化学繊維部１４もその周方向には継ぎ目が形成されておらず、その開放端と反対方向の端部のみ継ぎ目１９によって縫い合わされている。このようにして構成される手袋状タオル１１の製造方法については後述する。
【００２８】
手袋状タオル１１の使用に際しては、従来の手袋状タオルと同様に開口２１から手を入れて、天然繊維部１３の表面に石鹸をこすり付けたり、あるいは石鹸水等に手袋状タオル１１を浸した状態で天然繊維部１３と化学繊維部１４とを互いにこすり合わせるようにする。すると、天然繊維部１３を通して内部に浸透した石鹸水等は、化学繊維部１４は吸水性が低いため天然繊維部１３と化学繊維部１４との間に保有されることになる。この状態で天然繊維部１３の内面と化学繊維部１４とがこすり合わされると、その部分に大量の泡が発生することになる。尚、この泡の発生は、従来の洗顔タオルとは異なり石鹸水が上述のように十分保有されるため、石鹸等に含まれる界面活性剤の作用によって石鹸水の中に空気が取り込まれ、この状態が安定して保持されるからである。天然繊維部１３内部で発生した泡は、天然繊維部１３の繊維の間を通して手袋状タオル１１の外表面に現れる。この時、天然繊維部１３の繊維の太さは他の天然繊維の太さより１番小さいため、天然繊維部１３の外面に現れた泡は、木目細かな泡となる。
【００２９】
このようにして使用すると、手袋状タオル１１の表面は天然繊維部１３によって形成されているため、肌触りが従来のものと遜色がないにもかかわらず、従来では不十分だった泡が十分に発生することになる。従って従来の手袋状タオルとは異なり、木目細かな泡が十分に発生した状態で天然繊維で直接洗顔等ができるため、極めて使用勝手が向上する。
【００３０】
図３は図１で示した手袋状タオルの製造方法を示した概略工程図である。
【００３１】
図を参照して、図３の（１）に示すように、図示しない製造機械によって、筒状の天然繊維部と化学繊維部とが交互に連結された状態で製造される。即ち、化学繊維部１４ａの後には接続部２０ａを介して天然繊維部１３ａが編み上げられ、天然繊維部１３ａの後には接続部２０ｂを介して化学繊維部１４ｂが編み上げられ、化学繊維部１４ｂの後には接続部２０ｃを介して天然繊維部１３ｂが編み上げられるように連続的に製造される。
【００３２】
次に、図３の（２）に示すように、例えば図３の（１）の状態の天然繊維部１３ａ及び化学繊維部１４ｂを１つの単位として、接続部２０ａ及び接続部２０ｃの部分において他の単位の部分とを切り離す。これによって筒状の天然繊維部１３と筒状の化学繊維部１４とが接続部２０で接続され、各々の外方端部が開放された状態のものとなる。
【００３３】
次に、この状態から図３の（３）に示されているように、天然繊維部１３を化学繊維部１４側に折り返し、天然繊維部１３の開放端部を継ぎ目１８として縫い合わせて閉じた状態とする。この時化学繊維部１４の開放端はその状態のままである。
【００３４】
次に、この状態から天然繊維部１３の内部から化学繊維部１４を接続部２０側に引き出して、図３の（４）に示されているように天然繊維部１３側に折り返す。そして２点鎖線で示されているような位置まで化学繊維部１４を折り返した状態で、化学繊維部１４の開放端を編むことによって継ぎ目１９を形成してその開放端部を閉じる。
【００３５】
次に、この状態から化学繊維部１４の内部に収納された状態となっている天然繊維部１３を接続部２０から引き出し、図３の（５）に示されているような状態にする。この時図３の（２）の状態に天然繊維部１３及び化学繊維部１４が戻るが、その時開放端部であった部分が継ぎ目１８及び継ぎ目１９によって閉じられた状態となる。
【００３６】
次に、この状態から化学繊維部１４を天然繊維部１３の内部に収納するように押し込み、全体を平板状にプレスすることによって、図３の（６）に示されているような形状となり、図１で示した手袋状タオルが完成する。
【００３７】
このようにこの実施の形態による手袋状タオルは、図３の（１）に示されるような形状の筒状タオルをまず形成してその１部を用いて製造する。そのため、完成した手袋状タオルの周方向には継ぎ目がなく、また天然繊維部と化学繊維部とは最初の段階で接続された状態となっているため、接続部分の構造が安定した効率的な製造方法となる。
【００３８】
特に周方向に継ぎ目がない点は、手袋状タオルの使用目的から言ってもより好ましい構造と言える。又、図３の（２）の状態で天然繊維部１３の開放端部をそのまま閉じるものに比べて、上記の製造方法によれば天然繊維部１３の開放端部の継ぎ目が、手袋状タオルの完成時には図２に示すように内方側に形成されることになる。このような継ぎ目１８の位置にあっても、手袋状タオルの使用目的から言えばより好ましい構造と言える。
【００３９】
図４はこの発明の第１の実施の形態による手袋状タオルの使用時の変形例を示した斜視図である。
【００４０】
図を参照して、手袋状タオル１１の外方側には化学繊維部１４が位置し、その内部に天然繊維部１３が収納されている点が、図１に示した使用例とは異なっている。天然繊維部１３と化学繊維部１４とは上述のように接続部２０を介して接続されている構造であるため、図１に示した状態から図４に示した状態にすることは極めて容易である。この状態で化学繊維部１４の外面に石鹸等をこすり付けると、天然繊維部１３と化学繊維部１４との間で発生した泡は、天然繊維部１３を介してその内部に浸透する。上述のように天然繊維部１３の繊維の太さは他の天然繊維の太さより小さく設定されているため、内部に浸透した泡は、より木目細かな泡となる。従ってこのように内部に発生した泡を順次取り出すことによって、手袋状タオル１１を簡易な泡立器として使用することも可能となる。
【００４１】
尚、上記の実施の形態では、手袋状タオルは天然繊維部と化学繊維部とで構成されているが、泡立ての観点からは吸水性を有する天然繊維を含む第１繊維部と非吸水性を有する化学繊維を含む第２繊維部とであれば、繊維の種類に関係なく同様の効果を奏する。尚、ここでいう非吸水性とは、水分を全く吸わない場合はもちろん、天然繊維に比べてわずかにしか吸水しない場合も含む概念である。
【００４２】
又、上記の実施の形態では、天然繊維として動物性繊維の一種である絹を採用しているが、これに代えて毛を採用しても良く、あるいは、天然繊維に含まれる植物性繊維としての綿、麻等であっても同様に採用することができる。
【００４３】
更に、上記の実施の形態では、タオルを手袋状に形成しているが、必ずしも手袋状でなくても良く、少なくとも第１繊維部と第２繊維部とが対向するように設けられ、これらが互いに接触自在となるように構成されていれば、同様の効果を奏する。
【００４４】
更に、上記の実施の形態では、天然繊維部と化学繊維部共に周方向には継ぎ目がない様に形成されているが、継ぎ目が周方向に形成されるように製造しても同様の効果を奏する。
【００４５】
更に、上記の実施の形態では、天然繊維部と開放端を閉じる継ぎ目は内面側に形成されるように製造されているが、この継ぎ目は外面側に形成されるように製造しても良い。
【００４６】
更に、上記の実施の形態では、化学繊維としてポリエステル、ナイロン、アクリル、ポリウレタン等の合成繊維を採用しているが、これに代えて再生繊維であるレーヨン等、半合成繊維であるアセテート等を使用しても同様の効果を奏する。
【００４７】
更に、上記の実施の形態では、天然繊維部の一方面には凸模様が形成されているが、凸模様はなくても良く、あるいは天然繊維部の両面に形成されていても良い。
【図面の簡単な説明】
【００４８】
【図１】この発明の第１の実施の形態による手袋状タオルの外観形状を示した斜視図である。
【図２】図１で示したＩＩ−ＩＩラインの端面図である。
【図３】図１で示した手袋状タオルの製造方法を示した概略工程図である。
【図４】この発明の第１の実施の形態による手袋状タオルの使用状態の変形例を示した斜視図である。
【図５】従来の手袋状タオルの外観形状を示した斜視図である。
【符号の説明】
【００４９】
１１…手袋状タオル
１３…天然繊維部
１４…化学繊維部
１８，１９…継ぎ目
２０…接続部
２１…開口
尚、各図中同一符号は同一又は相当部分を示す。
【図１】
2005279189.tif 000003
【図２】
2005279189.tif 000004
【図３】
2005279189.tif 000005
【図４】
2005279189.tif 000006
【図５】
2005279189.tif 000007